(57)【要約】  オフセット印刷ユニットが、端部を有する版胴と、端部を支持しておりかつ第１の支持面を有する回転可能な版胴支持体と、ブランケット胴端部を有するブランケット胴と、端部を支持しておりかつ第２の支持面を有する回転可能なブランケット胴支持体と、版胴支持体及びブランケット胴支持体を回転させるための作動装置とを有しており、第１及び第２の支持面が、支持体の回転の部分の間に接触する。方法も提供される。
2008534329.tif 000002
【特許請求の範囲】
【請求項１】
オフセット印刷ユニットにおいて、
端部を有する版胴と、
前記端部を支持しておりかつ第１の支持面を有する回転可能な版胴支持体と、
ブランケット胴端部を有するブランケット胴と、
前記ブランケット胴端部を支持しておりかつ第２の支持面を有する回転可能なブランケット胴支持体と、
版胴支持体とブランケット胴支持体とを回転させるための作動装置とが設けられており、第１及び第２の支持面が、支持体の回転の部分の間に接触することを特徴とする、オフセット印刷ユニット。
【請求項２】
前記版胴支持体が第３の支持面を有しており、前記ブランケット胴支持体が第４の支持面を有しており、第３及び第４の支持面が、支持体の回転の部分の間に接触するようになっている、請求項１記載のオフセット印刷ユニット。
【請求項３】
第２の支持面が、ブランケット胴と同じ曲率の円弧を有している、請求項１記載のオフセット印刷ユニット。
【請求項４】
第１の支持面が、版胴と同じ曲率の円弧を有している、請求項１記載のオフセット印刷ユニット。
【請求項５】
版胴及びブランケット胴を移動させる方法において、
ブランケット胴支持体の支持面に版胴支持体の支持面を選択的に接触させることを含むことを特徴とする、版胴及びブランケット胴を移動させる方法。
【請求項６】
ブランケット胴支持体の第２の支持面に版胴支持体の第２の支持面を選択的に接触させるステップを含む、請求項５記載の方法。
【請求項７】
版胴支持体の第２の支持面が、ブランケット胴支持体の第２の支持面に接触する、請求項５記載の方法。
【発明の詳細な説明】
【技術分野】
【０００１】
本願は、引用により本明細書に記載されたこととする、２００５年３月３０日に出願された米国特許仮出願第６０／６６６４４０号明細書の優先権を主張する。
【０００２】
背景
本発明は概して印刷機、特に、分離可能なブランケットを有するウェブオフセット印刷機に関する。
【０００３】
米国特許第４２４０３４６号明細書には、例えば、ブランケットを胴抜きするために互いから分離可能な２つのブランケット胴を備えた印刷機が記載されている。このような印刷機においては、ブランケットは互いから垂直からオフセットされており、ブランケットがオフセットである場合にウェブをブランケットに通過させるために、ブランケットを通ってウェブを適切に案内するために、リードローラ又はエアバーが必要である。これらのガイドは、被印刷製品にマークを生じ、２つの印刷ユニットの間のウェブの見当合せをも変化させ、印刷品質を低下させる。
【０００４】
米国特許第６２１６５９２号明細書及び米国特許第６０１９０３９号明細書には、胴抜き機構を備えた印刷ユニットが記載されており、引用したことにより本明細書に記載されたものとする。
【０００５】
発明の概要
本発明は、
端部を有する版胴と、
端部を支持しておりかつ第１の支持面を有する回転可能な版胴支持体と、
ブランケット胴端部を有するブランケット胴と、
端部を支持しておりかつ第２の支持面を有する回転可能なブランケット胴支持体と、
版胴支持体とブランケット胴支持体とを回転させるための作動装置とが設けられており、第１及び第２の支持面が、支持体の回転の部分の間に接触するようになっている、オフセット印刷ユニットを提供する。
【０００６】
本発明は、ブランケット胴支持体の支持面に版胴支持体の支持面を選択的に接触させることを含む、版胴とブランケット胴とを移動させる方法をも提供する。この方法は、ブランケット胴支持体の第２の支持面に版胴支持体の第２の支持面を選択的に接触させることをも提供する。
【０００７】
本発明の好適な実施形態が図面に関して示される。
【０００８】
詳細な説明
図１は８つのオフセット印刷ユニット１０，１２，１４，１６，１８，２０，２２，２４を有するウェブオフセット印刷機を示しており、各印刷ユニットは、版胴４２と、ブランケット胴４４と、版胴４８と、ブランケット胴４６とを有する。ブランケット胴４４及び４６は、例えばそれぞれブラック、シアン、イエロー及びマゼンタを印刷する印刷ユニット１０，１２，１４，１６のために示されたように、印刷モードにおいてウェブ３０を挟持する。ウェブは（例えばインフィードローラであることができる）ニップローラ３２を介して印刷ユニットに進入し、例えば乾燥機の下流に配置されていることができる出口ローラ３４を介して走出する。
【０００９】
各印刷ユニットのためのブランケット胴４４，４６は、互いから及び個々の版胴４２，４８から分離するために、ユニット２２及び２４のために示されたように、胴抜きされることができる。版胴４２，４８はそれぞれ、自動刷版交換作業の際に、例えば自動刷版交換装置４０及び５０を介して、ブランケット胴４４，４６と再び接触させられる。自動刷版交換装置は、引用したことにより本明細書に記載されたこととする米国特許第６０５３１０５号明細書、米国特許第６４６０４５７号明細書及び米国特許第６３９７７５１号明細書に記載されている。
【００１０】
胴抜き機構６０は、ブランケット胴及び版胴４６，４８を移動させるために概略的に示されている。ブランケット胴４４及び版胴４２は同様の胴抜き機構を有することができる。好適には、各印刷ユニットは２つのモータ７０，７２によって駆動され、１つのモータは版胴又はブランケット胴４６，４８の一方を駆動し、１つのモータは版胴４２又はブランケット胴４４の一方を駆動する。駆動されない胴は、ウェブ３０のそれぞれの側における駆動される胴に歯車接続されている。各印刷ユニット１０，１２．．．２４は同じであることができる。
【００１１】
印刷ユニットのうちの１つが胴抜きされたブランケット胴を有する場合でさえも、ニップローラ３２，３４の間のウェブ経路長さは有利には変化する必要はない。胴抜きによって見当は影響されない。さらに、ウェブが、マーキングを生じる可能性のあるブランケット胴４４，４６に接触しないことを保証するためにリードローラ又はエアローラ等のウェブ逸らせ装置又は安定化装置は必要とされない。
【００１２】
胴抜き距離Ｄは好適には少なくとも０．５インチ、最も好適には少なくとも１インチであり、すなわち、ウェブはウェブのそれぞれの側において０．５インチの隙間を有する。さらに、ブランケット胴４４，４６の中心は、好適には完全な垂直から１０度以下の、ほぼ垂直な平面Ｖに位置している。このことは、胴抜きが、水平に走行するウェブのための最大間隙を提供するという利点を有する。
【００１３】
版胴の円周は好適には６３０ｍｍ未満、最も好適には５７８ｍｍである。
【００１４】
大きな胴抜き距離Ｄの形成は以下のような典型的な実施形態を用いて説明される。
【００１５】
図２は、下部ブランケット胴４４のための胴抜き機構６０を示している。ブランケット胴支持体１０２はブランケット胴４４の歯車側軸１４４を支持しており、版胴支持体１０４は版胴４２の歯車側軸１４２を支持している。ブランケット胴支持体１０２は軸１１６を中心に回動可能であり、版胴支持体は軸１１４を中心に回動可能である。空圧シリンダ１０６はアーム１０８を介して版胴支持体１０４を移動させることができる。
【００１６】
印刷位置においてブランケット胴４４がブランケット胴４６に接触している場合、支持体１０２の第１の支持面１１１が支持体１０４の第２の支持面１１２と接触しており、支持体１０２の別の支持面１０９は支持体１０４の支持面１１０と接触していない。したがって、距離Ｆはゼロであるのに対し、面１０９と１１０との間の距離Ｇは０．００４５インチであることができる。軸１４４と１４２との軸中心の間の距離Ｈは７．２４６３インチであることができる。
【００１７】
図３において、支持体１０４は、距離Ｈが例えば７．２４１６インチであり、距離Ｆ及びＧがゼロであるように下方へ移動させられる。したがって、カム面１１１，１１２及び１０９，１１０は、カム面の間で荷重を引き渡している。
【００１８】
図４に示されているように、支持体１０４がより下方へ移動すると、ブランケット胴４４はブランケット胴４６から胴抜きされ、ブランケット胴ボックス１０２が面１０９／１１０においてボックス１０４に当接するように支持体１０２の支持面又はカム１０９がボックス１０４の支持面１１０に接触する。ボックス１０２の支持面１１１とボックス１０４の支持面１１２との間の距離は０．１５６１インチであることができる。支持面１０９はブランケット胴４４と同じ曲率の円弧を有しており、支持面１１０は版胴４２と同じ曲率の円弧を有しており、これにより、図４においてさえも距離Ｈは依然として７．２４１６インチのままである。この時点において、延長部１２２も、フレームにおける定置のストッパ１２０とちょうど接触する。
【００１９】
図５に示されたように、支持体１０４がさらに下方へ移動させられると、ブランケット支持体１０２はストッパ１２０に当接するのに対し、版胴支持体１０４はさらに一層下方へ移動する。したがって、支持面１０９と１１０との間の距離Ｇは増大し、例えば１ｍｍであることができる。距離Ｆも増大する。この位置において、刷版を取り外す又は交換するための版胴４２へのアクセスが可能である。自動刷版供給のために、自動刷版供給機構がそのように要求するならば、図４に示したように版胴４２はブランケット胴４４に再び接するように移動させられることができる。
【００２０】
上部版胴及びブランケット胴抜き機構も、デュアル支持面を用いて同様の形式で移動することができるが、重力の作用形式が異なるので、版胴４８の上昇がブランケット胴４６をも上昇させるように孔１３０，１３２の間にリンクが設けられていることができる。
【００２１】
図２に示されたように、駆動歯車２８０はブランケット胴歯車２６０を駆動することができる。ブランケット胴歯車２６０は同様の版胴歯車を駆動することができる。これらの歯車２８０，２６０は軸方向に支持体１０２の内部へ、すなわち紙面の中に位置することができる。歯車の接線方向配列により、支持体１０２の回転は歯車２６０を（直進しない軸を有する）歯車２８０から解離させない。図２，３，４及び５の位置において、ブランケット胴歯車２６０及び相互作用する版胴歯車は歯車２８０によって駆動されることができる。したがって、モータ７２は自動刷版供給のために使用されることができる。
【図面の簡単な説明】
【００２２】
【図１】ウェブオフセット印刷機を示す図である。
【図２】第１の印刷位置におけるベアラカムを示す図である。
【図３】移行位置におけるベアラカムを示す図である。
【図４】版胴とブランケット胴とが接触している第１の胴抜き位置におけるベアラカムを示す図である。
【図５】版胴とブランケット胴とが接触していない第２の胴抜き位置におけるベアラカムを示す図である。
【符号の説明】
【００２３】
１０，１２，１４，１６，１８，２０，２２，２４  印刷ユニット、  ３０  ウェブ、  ３２，３４  ニップローラ、  ４０，５０  自動刷版交換装置、  ４２，４８  版胴、  ４４，４６  ブランケット胴、  ７０，７２  モータ、  １０２  ブランケット胴支持体、  １０４  版胴支持体、  １０６  空圧シリンダ、  １０８  アーム、  １１０，１１２  支持面、  １１４，１１６  軸、  １２０  ストッパ、  １４２，１４４  軸、  ２００  駆動ピニオン、  ２６０  ブランケット胴歯車、  ２８０  駆動歯車
【図１】
2008534329.tif 000003
【図２】
2008534329.tif 000004
【図３】
2008534329.tif 000005
【図４】
2008534329.tif 000006
【図５】
2008534329.tif 000007